(57)【要約】      （修正有）【課題】構造が簡単で、組立が容易な椅子の脚フレーム組立構造を提供する。【解決手段】前側のＵ字状脚フレームと、後側のＵ字状脚フレームと、座クッションと、を備える。後側のＵ字状脚フレームに、２つの連結部材が套設され、及び２つの下向きコ字状止め具が固設され、連結部材は、さらに第４連結孔と凸部が設けられ、第４連結孔が前側のＵ字状脚フレームの第１連結孔に枢結され、凸部が後側のＵ字状脚フレームにさらに設けられた位置決め孔に嵌設される。座クッションの枢軸は、後側のＵ字状脚フレームが前側のＵ字状脚フレームに対して展開する時に、前記下向きコ字状止め具に嵌入される。後側のＵ字状脚フレームに、収納スライド溝が設けられる。【選択図】図１
0003178725.tif 000002
【実用新案登録請求の範囲】
【請求項１】
椅子の脚フレーム組立構造であって、
中空管体構であり、２つの第１連結孔と２つの第２連結孔が設けられ、さらに背凭れが套設される前側のＵ字状脚フレームと、
中空管体構である後側のＵ字状脚フレームと、
２つの第３連結孔と２つの枢軸が設けられ、前記第３連結孔が前記前側のＵ字状脚フレームの前記第２連結孔に枢結される座クッションと、を備え、
前記後側のＵ字状脚フレームに、２つの連結部材が套設され、及び２つの下向きコ字状止め具が固設され、前記連結部材は、さらに第４連結孔と凸部が設けられ、前記第４連結孔が前記前側のＵ字状脚フレームの前記第１連結孔に枢結され、前記凸部が前記後側のＵ字状脚フレームにさらに設けられた位置決め孔に嵌設され、前記座クッションの前記枢軸は、前記後側のＵ字状脚フレームが前記前側のＵ字状脚フレームに対して展開する時に、前記下向きコ字状止め具に嵌入されることを特徴とする、椅子の脚フレーム組立構造。
【請求項２】
前記前側のＵ字状脚フレームの両側の末端に、さらに第１スリットが設けられることを特徴とする、請求項１記載の椅子の脚フレーム組立構造。
【請求項３】
前記後側のＵ字状脚フレームの両側の末端に、さらに第２スリットが設けられることを特徴とする、請求項１記載の椅子の脚フレーム組立構造。
【請求項４】
前記後側のＵ字状脚フレームの両側の内縁に、さらに収納スライド溝が設けられることを特徴とする、請求項１記載の椅子の脚フレーム組立構造。
【請求項５】
前記座クッションは、さらに複数の蜂巣格子模様の鏤空構造体を有することを特徴とする、請求項１記載の椅子の脚フレーム組立構造。
【請求項６】
前記後側のＵ字状脚フレームの前記連結部材の両側に、さらに通孔が開孔されることを特徴とする、請求項１記載の椅子の脚フレーム組立構造。
【請求項７】
前記後側のＵ字状脚フレームの両側に、それぞれ前記連結部材の前記通孔に対応するように通孔が貫設されることを特徴とする、請求項６記載の椅子の脚フレーム組立構造。
【考案の詳細な説明】
【技術分野】
【０００１】
本考案は椅子の脚フレーム組立構造に係り、特に、下向きコ字状止め具により、一時的な堅固嵌合構造が形成されるとともに、収納スライド溝を用いて開閉操作過程での円滑性を向上させることができるものに関する。
【背景技術】
【０００２】
従来の椅子の脚組立構造は、より複雑な構造とより多い枢結点を用いることにより椅子の折り畳み機能の利便性を向上させた。折り畳み式椅子を折り畳みと展開するための折り畳んで収納可能な機能を提供する要求を達成できるものの、しかし、使用時において、構成部材の構造の複雑さが原因で全体装置の使用上の利便性と耐用性が低下してしまう欠点、または、使用上の利便性と耐用性の不足問題が存在する場合には、椅子の脚組立構造によって生じる具体的な産業効果をより適切かつ効率的に発揮できないことがある。
【考案の概要】
【考案が解決しようとする課題】
【０００３】
本考案の主要な目的は、耐摩耗・耐用性能を補助して使用の利便さと収納自在性を向上することができ、これによって、椅子の脚組立構造を展開と折り畳みするための折り畳んで収納可能な機能の要求、及び荷重状態における強度の基本耐荷能力が達成されるほかに、強化された構造設計と取付け・取外し操作が簡単かつ直感的に行える性能といった具体的な要求と商業化利益を兼ね備えるものを提供することである。
【０００４】
本考案の別の目的は、構造設計を簡素化すると同時に、耐荷重能力も兼ねて配慮する椅子の脚組立構造を達成することである。
【課題を解決するための手段】
【０００５】
本考案の椅子の脚フレーム組立構造は、上記目的を達成するために、中空管体構であり、２つの第１連結孔と２つの第２連結孔が設けられ、さらに背凭れが套設される前側のＵ字状脚フレームと、中空管体構である後側のＵ字状脚フレームと、２つの第３連結孔と２つの枢軸が設けられ、第３連結孔が前側のＵ字状脚フレームの第２連結孔に枢結される座クッションと、を備え、後側のＵ字状脚フレームに、２つの連結部材が套設され、及び２つの下向きコ字状止め具が固設され、連結部材は、さらに第４連結孔と凸部が設けられ、第４連結孔が前側のＵ字状脚フレームの第１連結孔に枢結され、凸部が後側のＵ字状脚フレームにさらに設けられた位置決め孔に嵌設され、座クッションの枢軸は、後側のＵ字状脚フレームが前側のＵ字状脚フレームに対して展開する時に、下向きコ字状止め具に嵌入される。
なお、前側のＵ字状脚フレームの両側の末端に、さらに第１スリットが設けられ、後側のＵ字状脚フレームの両側の末端に、さらに第２スリットが設けられる。
また、後側のＵ字状脚フレームの両側の内縁に、さらに収納スライド溝が設けられる。
また、座クッションは、さらに複数の蜂巣格子模様の鏤空構造体を有する。
また、後側のＵ字状脚フレームの連結部材の両側に、さらに通孔が開孔される。後側のＵ字状脚フレームの両側に、それぞれ連結部材の通孔に対応するように通孔が貫設される。
【考案の効果】
【０００６】
本考案の椅子の脚フレーム組立構造の利点と特徴は、以下のとおりである。
１．構造が簡単であり、構成部材が非常に少ないので、組立てがより容易に行うことができ、かつ時間を節約できる。
２．座クッションの開閉を補助する構造設計を備えることにより、操作円滑性を具体的に向上させることができる。
３．可動的な止め具の設計で、同時に嵌合と全体の耐荷重能力を兼ねて配慮することができる。
４．展開と折り畳み操作が直感的かつ簡単に行える性能要求を満たすので、商業化利益を上げることができる。
５．薄い板体になるように折り畳んだ後の外観構造は、機能性と美観を兼ね備えた。
６．座クッションに設けられた蜂巣格子模様の構造により、座クッションの強度を大幅に向上させることができる。
【図面の簡単な説明】
【０００７】
【図１】本考案に係る一実施例の全体構造を示す外観分解図である。
【図２】本考案に係る一実施例の全体構造を示す外観組立て図である。
【図３】本考案に係る一実施例の全体構造を折り畳んだ状態を示す図である。
【図４】本考案に係る一実施例の連結部材の連結を示す部分的拡大図である。
【図５】本考案に係る一実施例の下向きコ字状止め具の嵌合を示す部分的側面図である。
【図６】本考案に係る別の実施例の連結部材の連結を示す部分的拡大図である。
【考案を実施するための形態】
【０００８】
図１に示すように、本考案は、前側のＵ字状脚フレーム１と、後側のＵ字状脚フレーム２と、座クッション３と、を備えるように構成される。
前側のＵ字状脚フレーム１は、中空管体構であり、２つの第１連結孔１１と２つの第２連結孔１２が設けられ、前記前側のＵ字状脚フレーム１にさらに背凭れ１３が套設される。
後側のＵ字状脚フレーム２は、中空管体構である。
座クッション３は、２つの第３連結孔３１と２つの枢軸３２が設けられ、前記第３連結孔３１が前側のＵ字状脚フレーム１の第２連結孔１２に枢結される。
前記後側のＵ字状脚フレーム２に、２つの連結部材２１が套設され、及び２つの下向きコ字状止め具２２が固設され、前記連結部材２１は、さらに第４連結孔２１１と凸部２１２が設けられ、前記第４連結孔２１１が前側のＵ字状脚フレーム１の第１連結孔１１に枢結され、前記凸部２１２が後側のＵ字状脚フレーム２にさらに設けられた位置決め孔２３に嵌設され、図４、図５に示すように、前記座クッション３の枢軸３２は、後側のＵ字状脚フレーム２が前側のＵ字状脚フレーム１に対して展開する時に、前記下向きコ字状止め具２２に嵌入される。
【０００９】
上述した前記前側のＵ字状脚フレーム１の両側の末端に、さらに第１スリット１４が設けられる。
【００１０】
上述した前記後側のＵ字状脚フレーム２の両側の末端に、さらに第２スリット２４（図４、図５参照）が設けられ、それの両側の内縁に、さらに収納スライド溝２５が設けられる。
【００１１】
上述した前記後側のＵ字状脚フレーム２の連結部材２１の両側に、さらに通孔２１３が開孔され、その前記後側のＵ字状脚フレーム２の両側に、それぞれ前記連結部材２１の通孔２１３に対応するように通孔２６（図６参照）が貫設され、さらにリベットまたはネジによって接合して固定されている。
【００１２】
上述した前記背凭れ１３及び前記座クッション３は、さらに複数の蜂巣格子模様１３１，３３の鏤空構造体を有し、前記蜂巣格子模様１３１，３３により背凭れ１３及び座クッション３の強度を強化させることができる。
【００１３】
図２に示すように、展開後の椅子構造において、後側のＵ字状脚フレーム２は、連結部材２１により、前側のＵ字状脚フレーム１と枢結され、前側のＵ字状脚フレーム１の上側には、背凭れ１３が設けられ、前側のＵ字状脚フレーム１と枢結される座クッション３は、設けられた枢軸３２により、後側のＵ字状脚フレーム２の下向きコ字状止め具２２に嵌入して支持されるようになっている。図５に示すように、座クッション３の堅固性が確保される。
【００１４】
図３に示すように、折り畳んだ後の椅子構造において、後側のＵ字状脚フレーム２は、連結部材２１を固定軸心とし、前側のＵ字状脚フレーム１に向けて平らに貼り合わせた状態になるように近接して回転する。折り畳んだ後の座クッション３と後側のＵ字状脚フレーム２との間は、後側のＵ字状脚フレーム２に設けられた収納スライド溝２５により、座クッション３の折り畳みと開き作動が有効的かつ安定円滑に案内される。
【符号の説明】
【００１５】
１    前側のＵ字状脚フレーム
１１    第１連結孔
１２    第２連結孔
１３    背凭れ
１４    第１スリット  
２    後側のＵ字状脚フレーム
２１    連結部材
２１１    第４連結孔
２１２    凸部
２１３，２６    通孔
２２    下向きコ字状止め具
２３    位置決め孔
２４    第２スリット
２５    収納スライド溝
３    座クッション
３１    第３連結孔
３２    枢軸
１３１，３３    蜂巣格子模様
【図１】
0003178725.tif 000003
【図２】
0003178725.tif 000004
【図３】
0003178725.tif 000005
【図４】
0003178725.tif 000006
【図５】
0003178725.tif 000007
【図６】
0003178725.tif 000008